(57)【要約】      （修正有）【課題】十分な強度を有し、開口部を十分に拡開できるとともに、支柱部材を十分に挟持することができるシート止め具を提供する。【解決手段】筒状の第１嵌着部１０と、筒状の第２嵌着部２０と、第１嵌着部と第２嵌着部とに接続され、支柱部材に対して凹部を有する連結部３０とを具備するシート止め具１であって、第１嵌着部は、シート状部材を挟んで挟持する第１挟持部１１を有し、第１挟持部は、軸線方向に開口した第１開口部１２と、シート状部材を挟んで支柱部材の表面と嵌合する第１内周面１３とを有し、第２嵌着部は、シート状部材を挟んで挟持する第２挟持部を有し、第２挟持部は、軸線方向に開口した第２開口部２２と、直接またはシート状部材を挟んで支柱部材の表面と嵌合する第２内周面２３と、第２開口部の左右両側部に第２開口部の反対側方向に突出する２つの摘み片とを有する。【選択図】図１
0003224029.tif 000002
【実用新案登録請求の範囲】
【請求項１】
シート状部材を挟んで支柱部材に嵌着させることによって、前記シート状部材を支柱部材に固定する筒状の第１嵌着部と、
前記シート状部材を挟んで前記支柱部材に嵌着し、または前記支柱部材に直接嵌着することができる筒状の第２嵌着部と、
前記第１嵌着部と前記第２嵌着部とに接続され、前記支柱部材に対して凹部を有する連結部とを具備するシート止め具であって、
前記第１嵌着部は、前記シート状部材を挟んで挟持する第１挟持部を有し、
前記第１挟持部は、軸線方向に開口した第１開口部と、前記シート状部材を挟んで前記支柱部材の表面と嵌合する第１内周面とを有し、
前記第２嵌着部は、前記シート状部材を挟んで挟持する第１挟持部を有し、
前記第２挟持部は、軸線方向に開口した第２開口部と、直接または前記シート状部材を挟んで前記支柱部材の表面と嵌合する第２内周面と、第２開口部の左右両側部に前記第２開口部の反対側方向に突出する２つの摘み片とを有することを特徴とするシート止め具。
【請求項２】
前記第１内周面の径が前記第２内周面の径よりも小さいことを特徴とする
請求項１に記載のシート止め具。
【請求項３】
前記第１内周面および前記第２内周面の何れか一方に、少なくとも１つの付勢部が形成されている
ことを特徴とする請求項１または２に記載のシート止め具。
【請求項４】
前記付勢部が、前記第１内周面の第１開口部の反対側に位置する第１底部および前記第２内周面の第２開口部の反対側の第２底部の少なくとも何れか一方に形成されている
ことを特徴とする請求項３に記載のシート止め具。
【請求項５】
前記付勢部が、前記第１内周面および前記第２内周面の少なくとも何れか一方に、対向するように２つ形成されていることを特徴する請求項３または４に記載のシート止め具。
【請求項６】
前記摘み片の表面に、前記軸線方向と交差する方向に向かって線状の凸部が形成されていることを特徴とする請求項１〜５の何れか１項に記載のシート止め具。
【請求項７】
前記第１開口部の両端部に第１係止部が形成され、前記第１係止部の軸方向端部の開口方向の幅が少なくとも何れか一方で小さくなることを特徴とする請求項１〜６の何れか１項に記載のシート止め具。
【請求項８】
前記第２開口部の両端部に第２係止部が形成され、前記第２係止部の軸方向端部の開口方向の幅が少なくとも何れか一方で小さくなることを特徴とする請求項１〜７の何れか１項に記載のシート止め具。
【請求項９】
前記第２係止部の開口方向の幅が、前記第１係止部の開口方向の幅よりも広いことを特徴とする請求項８に記載のシート止め具。
【請求項１０】
前記第１嵌着部の外表面に嵌合し、Ｕ字状またはＣ字状の内周面が前記第１嵌着部の外表面の径よりも小さい径を有する剛性強化部を具備することを特徴とする請求項１〜９の何れか１項に記載のシート止め具。
【考案の詳細な説明】
【技術分野】
【０００１】
本発明は、シート状部材を支柱部材に対して固定するための止め具に関するものであり、特にビニールハウス等の設備において、その骨組みであるパイプ等の支柱部材にシート状部材を固定すると共に、設備内を換気等する際に、シート状部材をたくし上げた状態で保持するためのシート止め具に関するものである。
【背景技術】
【０００２】
園芸用のビニールハウス等はパイプ状の骨組みと、その骨組みを覆うように設置されるビニールシート等のシート状部材とで構成されている。そして、シート状部材は、シート止め具等によってその骨組みに固定されている。
【０００３】
シート止め具としては、例えば、特許文献１に開示されている農園芸用のシート止着具等が挙げられる。このシート止着具は、上下一対の止着部材の内端相互が、後方向に突に屈曲されて凹部を有する可撓性の突状連結片で連結されてなり、該止着部材は、前記樹脂シートを介在させて前記支柱を弾性的に挾持し得る筒状挾持部を具え、該筒状挾持部は、その前端周面部が、該筒状挾持部の中心を通る軸線方向に開口し且つ開口部が弾性的に拡開し得る筒状を呈し、該筒状挾持部の該開口部の左右両側部に、後方に向けて摘み片が突設されており、両摘み片を内向きに摘むことにより前記開口部を弾性的に拡開でき、又、上下の筒状挾持部が前記支柱を挾持した状態で前記突状連結片の前記凹部と前記支柱との間に形成される収容空間部に、前記たくし上げシート部分を収容状態に保持可能となるように構成されており、前記筒状挾持部の開閉をより容易且つ確実に行い得るという効果を奏するものである。
【先行技術文献】
【特許文献】
【０００４】
【特許文献１】実用新案登録第３１６７８６７号公報
【考案の概要】
【考案が解決しようとする課題】
【０００５】
しかしながら、特許文献１に開示されているシート止着具は、摘み片の材質によっては十分な強度を有さず、摘み片を内向き（２つの摘み片が成す角の角度が小さくなる方向）に摘んでも開口部が十分に拡開しないという問題点があった。
【０００６】
また、このシート止着具は上下一対の止着部材のそれぞれに摘み片が突設されており、容易に拡開できるようになっているので、支柱部材を十分に挟持することができず、シート止着具が支柱部材の軸方向にズレ易いという問題点があった。
【課題を解決するための手段】
【０００７】
本考案の考案者は、上述した問題点に関して鋭意研究を続けた結果、以下のような画期的なシート止め具を見出した。
【０００８】
上記課題を解決するための本発明の第１の態様は、シート状部材を挟んで支柱部材に嵌着させることによって、シート状部材を支柱部材に固定する筒状の第１嵌着部と、シート状部材を挟んで支柱部材に嵌着し、または支柱部材に直接嵌着することができる筒状の第２嵌着部と、第１嵌着部と第２嵌着部とに接続され、支柱部材に対して凹部を有する連結部とを具備するシート止め具であって、第１嵌着部は、シート状部材を挟んで挟持する第１挟持部を有し、第１挟持部は、軸線方向に開口した第１開口部と、シート状部材を挟んで支柱部材の表面と嵌合する第１内周面とを有し、第２嵌着部は、シート状部材を挟んで挟持する第１挟持部を有し、第２挟持部は、軸線方向に開口した第２開口部と、直接またはシート状部材を挟んで支柱部材の表面と嵌合する第２内周面と、第２開口部の左右両側部に第２開口部の反対側方向に突出する２つの摘み片とを有することを特徴とするシート止め具にある。
【０００９】
ここで、「筒状」とは、断面が円状のものだけでなく、Ｕ字状やＣ字状のものおよびそれらに近似する形状を含む概念である。
【００１０】
かかる第１の態様では、第１内周面の径が第２内周面の径よりも小さいので、第１嵌着部と比較して、第２嵌着部を支柱部材から容易に脱着させることができる。
【００１１】
また、第２嵌着部の２つの摘み片を２つの摘み片が成す角の角度が小さくなる方向（内向き）に掴むことにより、第２開口部を容易に開口させることができるので、第２嵌着部を支柱部に容易に脱着させることができる。さらに、連結部を有するので、シート状部材をたくし上げた際に形成される、たくし上げシート部を連結部の凹部に収容できる。その結果、第２嵌着部を脱着した後、シート状部材をたくし上げて、たくし上げシート部を連結部の凹部に収容して第２嵌着部を支柱部に嵌着させることができると共に、再度第２嵌着部を支柱部から脱着させた後、たくし上げシート部を元の状態（単なるシート状）に戻した上で、シート状部材を挟んで支柱部に嵌着させることができる。
【００１２】
本発明の第２の態様は、第１内周面の径が第２内周面の径よりも小さいことを特徴とする第１の態様に記載のシート止め具にある。
【００１３】
かかる第２の態様では、第１内周面の径が、第２内周面の径よりも小さくなっており、第２嵌着部と比較して、第１嵌着部を支柱部材に強固に嵌着させることができる。
【００１４】
本発明の第３の態様は、第１内周面および第２内周面の何れか一方に、少なくとも１つの付勢部が形成されていることを特徴とする第１または第２の態様に記載のシート止め具にある。
【００１５】
かかる第３の態様では、付勢部により、第１内周面または第２内周面の付勢部の反対側近傍に位置する部分に、支柱部材が押し付けられる（付勢される）ことになるので、支柱部材と、第１嵌着部または第２嵌着部の嵌着がより強くなる。その結果、支柱部材と、第１嵌着部または第２嵌着部との嵌着が外れ難くなる。
【００１６】
本発明の第４の態様は、付勢部が、第１内周面の第１開口部の反対側に位置する第１底部および第２内周面の第２開口部の反対側の第２底部の少なくとも何れか一方に形成されていることを特徴とする第３の態様に記載のシート止め具にある。
【００１７】
かかる第４の態様では、第１開口部または第２開口部の反対側に位置する付勢部により、支柱部材が弾力性を有する開口部側に押し付けられる（付勢される）ことになるので、支柱部材と、第１嵌着部または第２嵌着部との嵌着がより強くなる。その結果、支柱部材と、第１嵌着部または第２嵌着部との嵌着がより外れ難くなる。
【００１８】
本発明に係る第５の態様は、付勢部が、第１内周面および第２内周面の少なくとも何れか一方に、対向するように２つ形成されていることを特徴する第３または第４の態様に記載のシート止め具にある。
【００１９】
かかる第５の態様では、３つの付勢によって、異なる３方向から支柱部材が固定される（付勢される）ことになるので、支柱部材と、第１嵌着部または第２嵌着部との嵌着がさらに強くなる。その結果、支柱部材と、第１嵌着部または第２嵌着部との嵌着がさらに外れ難くなる。
【００２０】
本発明の第６の態様は、摘み片の表面に、軸線方向と交差する方向に向かって線状の凸部が形成されていることを特徴とする第１〜第５の態様の何れか１つに記載のシート止め具にある。
【００２１】
かかる第６の態様では、２つの摘み片が成す角の角度が小さくなる方向に（第２開口部が開拡する方向に）に対する摘み片の剛性（強度）が高いので、従来のシート止め具とは異なり、摘み片自体が屈曲することなく、スムーズに開口部を開拡することができる。
【００２２】
本発明の第７の態様は、第１開口部の両端部に第１係止部が形成され、第１係止部の軸線方向端部の開口方向の幅が少なくとも何れか一方で小さくなっていることを特徴とする第１〜第６の態様の何れか１つに記載のシート止め具にある。
【００２３】
かかる第７の態様では、第１係止部の軸方向端部の開口方向の幅が少なくとも何れか一方で小さくなっている（第１開口部の開口幅が大きくなっている）ので、その第１係止部の軸線方向端部から支柱部に第１嵌着部を嵌着させると、第１嵌着部を支柱部にスムーズに嵌着させることができると共に、逆の操作を行うことによって、支柱部から第１嵌着部をスムーズに脱着させることができる。
【００２４】
本発明の第８の態様は、第２開口部の両端部に第２係止部が形成され、第２係止部の軸線方向端部の開口方向の幅が少なくとも何れか一方で小さくなっていることを特徴とする第１〜第７の態様の何れか１つに記載のシート止め具にある。
【００２５】
かかる第８の態様では、第２係止部の軸方向端部の開口方向の幅が少なくとも何れか一方で小さくなっている（第２開口部の開口幅が大きくなっている）ので、その第２係止部の軸方向端部から支柱部に第２嵌着部を嵌着させると、第２嵌着部を支柱部にスムーズに嵌着させることができると共に、逆の操作を行うことによって、支柱部から第２嵌着部をスムーズに脱着させることができる。
【００２６】
本発明の第９の態様は、第２係止部の開口方向の幅が、第１係止部の開口方向の幅よりも広いことを特徴とする第８の態様に記載のシート止め具にある。
【００２７】
かかる第９の態様では、第２係止部の開口方向の幅が、第１係止部の開口方向の幅よりも広いので、支柱部に対して、第１嵌着部よりも第２嵌着部の方が脱着し易くなる。その結果、支柱部から第１嵌着部は脱着し難いが、第２嵌着部は第１嵌着部と比較して脱着し易く、たくし上げシート部分を連結部の凹部に容易に収容することができる。
【００２８】
本発明の第１０の態様は、第１嵌着部の外表面に嵌合し、Ｕ字状またはＣ字状の内周面が第１嵌着部の外表面の径よりも小さい径を有する剛性強化部を具備することを特徴とする第１〜第９の態様の何れか１つに記載のシート止め具にある。
【００２９】
ここで、Ｕ字状とは、Ｕ字だけでなく、それに近似する形状を含む概念である。また、Ｃ字状とは、Ｃ字だけでなく、それに近似する形状を含む概念である。
【００３０】
かかる第９の態様では、剛性強化部により、第１嵌着部の開口部を開口する方向に対する剛性が高くなるので、より強固に第１嵌着部を支柱部に嵌着させることができる。
【図面の簡単な説明】
【００３１】
【図１】図１は実施形態１に係るシート止め具の概略斜視図である。
【図２】図２は実施形態１に係るシート止め具の概略正面図である。
【図３】図３は実施形態１に係るシート止め具の概略背面図である。
【図４】図４は実施形態１に係るシート止め具の概略側面図である。
【図５】図５はＸ−Ｘ’面における概略断面図である。
【図６】図６はＹ−Ｙ’面における概略断面図である。
【図７】図７は実施形態１に係るシート止め具の使用態様（シートを固定）の一例を示す図である。
【図８】図８は実施形態１に係るシート止め具の使用態様（シートたくし上げ部を固定）の一例を示す図である。
【考案を実施するための形態】
【００３２】
以下に添付図面を参照して、本考案に係るシート止め具の実施形態を説明する。なお、本考案は、以下の実施形態に限定されるものではない。
（実施形態１）
【００３３】
図１〜図４に示すように、シート止め具１は、筒状の第１嵌着部１０と、その下方に位置する筒状の第２嵌着部２０と、それらの内側端部に取り付けられた半円弧状の連結部３０とで構成されている。
【００３４】
ここで、第１嵌着部１０、第２嵌着部２０および連結部３０は、同一材料で一体成型されてもよいし、同一材料または異なる材料で別個に作成し、それらを接着等を用いて接続して形成してもよい。なお、これらの材質は弾力性を有するものであれば特に限定されない。これらの材質としては、樹脂や金属等で構成してもよく、例えばポリエチレン、ポリプロピレン、ステンレス鋼、塩化ビニール、ポリスチレン、ＡＢＳ樹脂、アクリル、ナイロン、ポリカーボネイト、ポリウレタンおよびこれらの表面にメッキ処理を施したもの等が挙げられる。
【００３５】
まず、第１嵌着部１０について説明する。第１嵌着部１０は、断面Ｕ字状を成し、パイプ状の支柱部材を挟んで挟持する第１挟持部１１と、軸線方向に開口した第１開口部１２と、支柱部材と嵌合する第１内周面（断面Ｕ字状）１３が形成されている。第１開口部１２の開口方向（Ａ方向）の両端部には第１係止部１４がそれぞれ形成されている。
【００３６】
第１内周面１３の第１開口部１２の対向する位置（第１底部）には、図５に示すように、軸線方向（Ｂ方向）に所定の長さを有する付勢部１３１が設けられていると共に、第１内周面１３の第１底部と第１開口部１２との間の対向する位置にも、付勢部１３２が２つ設けられている。このような付勢部１３２を第１内周面１３上に設けることによって、異なる３方向から支柱部材が固定される（付勢される）ことになるので、支柱部材と、第１嵌着部１０との嵌着がさらに強くなる。その結果、支柱部材と、第１嵌着部との嵌着がさらに外れ難くなる。
【００３７】
また、第１嵌着部１０の軸線方向（Ｂ方向）の略中央部の外周面には、外周面に沿って突出する断面凹状の突部１５が形成されており、その突部の凹部内には、金属製の剛性強化部１６が嵌合されている。
【００３８】
剛性強化部１６は線状部材を屈曲させてＵ字状を成している。そして、そのＵ字状の内周面の径は、第１嵌着部の外周面の径よりも小さくなっており、突部１５が形成されている効果と合わさって、第１嵌着部１０の開口部１２を開口する方向に対する剛性をより向上させることができるようになっている。
【００３９】
さらに、第１係止部１４の開口方向の幅は、軸線方向の端部に向かうにつれて小さくなっている。その結果、第１開口部１２の開口幅は、軸線方向の端部側に向かって広がっているので、第１係止部１４の軸線方向の端部から支柱部に第１嵌着部１０を嵌合させると、第１嵌着部１０を支柱部にスムーズに嵌着させることができると共に、逆の操作を行うことによって、支柱部から第１嵌着部１０をスムーズに脱着させることができるようになっている。
【００４０】
なお、第１嵌着部１０の厚みは、十分な強度と弾性を有するのであれば特に限定されない。
【００４１】
次に、第２嵌着部２０について説明する。第２嵌着部２０は、図１〜図４に示すように、第１嵌着部１０と同様に、断面Ｕ字状を成し、支柱部材を挟んで挟持する第２挟持部２１と、軸線方向に開口した第２開口部２２と、支柱部材と嵌合する第２内周面（断面Ｕ字状）２３が形成されている。第２開口部２２の開口方向（Ａ方向）の両端部には第２係止部２４がそれぞれ形成されている。
【００４２】
第２内周面２３の第２開口部２２の対向する位置（第２底部）には、図６に示すように、軸線方向（Ｂ方向）に所定の長さを有する付勢部２３１が設けられていると共に、第２内周面２３の第１底部と第２開口部２２との間の対向する位置にも、付勢部２３２が２つ設けられている。このように付勢部２３２を第２内周面上に設けることによって、異なる３方向から支柱部材が固定される（付勢される）ことになるので、支柱部材と、第２嵌着部２０との嵌着がさらに強くなる。その結果、支柱部材と、第２嵌着部２０との嵌着がさらに外れ難くなる。
【００４３】
また、第２嵌着部２０の第２開口部２２の左右両側部に第２開口部２２の反対側方向に突出する２つの摘み片２５がそれぞれ設けられている。各摘み片２５の対向する表面２６には、図２に示すように、第２開口部２２の反対側方向に伸びる線状の凸部２７が３つ（両端部近傍に２つ、中央部に１つ）それぞれ形成されている。これらの凸部２７を形成することによって、摘み片２５の剛性（強度）が高くなるので、摘み片２５を内向きに綴じる際に摘み片２５自体が屈曲することがない。その結果、スムーズに開口部を開拡することができる。なお、各摘み片２５の対向する表面の逆側の表面２８には、図４に示すように、軸線方向に伸びる複数の凸部で構成される摩擦部２９が形成されており、摘み片２５を把持する際に、指が滑らないようになっている。
【００４４】
さらに、第２係止部２４の開口方向の幅は、軸線方向の端部に向かうにつれて小さくなっている。その結果、第２開口部２２の開口幅は、軸線方向の端部側に向かって広がっているので、第２係止部２４の軸線方向の端部から支柱部に第１嵌着部１０を嵌合させると、第１嵌着部１０を支柱部にスムーズに嵌着させることができると共に、逆の操作を行うことによって、支柱部から第２嵌着部２０をスムーズに脱着させることができるようになっている。
【００４５】
ここで、第１内周面１３の径は、第２内周面２３の径よりも小さくなっており、第２嵌着部２０と比較して、第１嵌着部１０を支柱部材に強固に嵌着させることができるようになっている。
【００４６】
なお、第２嵌着部２０の厚みも、第１嵌着部１０と同様に、十分な強度と弾性を有するのであれば特に限定されない。
【００４７】
さらに、連結部３０について説明する。連結部３０は、第１嵌着部１０の第１開口部１２や第２嵌着部２０の第２開口部２２に対して凹部を有する半円弧状を成している。そして、連結部３０は、第１嵌着部１０の第２嵌着部２０側の端部と、第２嵌着部２０の第１嵌着部１０側の端部とに接続されており、第２嵌着部の脱着に応じて容易に屈曲できるようになっている。
【００４８】
なお、連結部３０の厚みも特に限定されず、弾力性を有し、かつ第１嵌着部１０と第２嵌着部２０とを接続することができるものであればよい。
【００４９】
次に、ビニールハウスを例に、シート止め具１の使用方法について説明する。図７は、シート止め具１を用いて、シート状部材であるビニールシート１００を支柱部材であるビニールハウスの骨組み１１０に固定した状態の概略図である。
【００５０】
この図に示すように、ビニールシート１００を挟んで、第１嵌着部１０の第１内周面１３と骨組み１１０とが嵌合すると共に、第２嵌着部２０の第２内周面２３と骨組み１１０とが嵌合することによって、シート状部材であるビニールシート１００が支柱部材であるビニールハウスの骨組み１１０に固定されることになる。
【００５１】
そして、ビニールハウス内の空気と外気との入れ替えを行う際に次のような動作を行う。まず、骨組み１１０から第２嵌着部２０を取り外す。次に、ビニールシートをたくし上げ、そのたくし上げた部分（たくし上げシート部１０５）を連結部３０の凹部内に収容する。その後、図８に示すように、再度第２嵌着部２０を直接骨組み１１０に嵌着する。このようにシート止め具１を用いることによって、ビニールシートの一部をたくし上げた状態を保持することができる。
【００５２】
なお、再度第２嵌着部２０を骨組み１１０から脱着させた後、ビニールシートのたくし上げた部分（たくし上げシート部１０５）を元の状態（単なるシート状）に戻した上で、ビニールシートを挟んで第２嵌着部２０を支柱部に嵌着させると、図７に示す状態に戻すことができる。
【００５３】
以上説明したようにシート止め具１を構成することによって、第２内周面２３の径が第１内周面１３の径よりも小さいので、第１嵌着部１０と比較して、第２嵌着部２０を骨組み１１０から容易に脱着させることができる。
【００５４】
また、第２嵌着部２０の２つの摘み片２５を２つの摘み片２５が成す角の角度が小さくなる方向（内向き）に掴むことにより、第２開口部２２を容易に開口させることができるので、第２嵌着部２０を骨組みに容易に脱着させることができる。
【００５５】
さらに、連結部３０を有するので、ビニールシートをたくし上げた際に形成される、たくし上げシート部１０５を連結部３０の凹部に収容できる。その結果、第２嵌着部２０を骨組み１１０から取り外した後、シート状部材をたくし上げて、そのたくし上げシート部１０５を連結部３０の凹部に収容して第２嵌着部２０を骨組み１１０に嵌着させることができると共に、再度第２嵌着部を支柱部から脱着させた後、たくし上げシート部を元の状態（単なるシート状）に戻した上で、シート状部材を挟んで支柱部に再度嵌着させることができる。
（実施形態２）
【００５６】
上述した実施形態では、連結部の形状は、半円弧状となっていたが、第１嵌着部の第１開口部や第２嵌着部の第２開口部に対して凹部を有するものであれば特に限定されない。連結部の形状としては、例えばコ字状、く字状、半円弧状を二つ連結した形状等が挙げられる。このような形状の連結部を用いても、上述した実施形態のシート止め具と同様の効果が得られる。
（実施形態３）
【００５７】
上述した実施形態では、第１嵌着部の軸線方向の略中央部の外周面に、外周面に沿って突出する断面凹状の突部が形成され、その突部の凹部内に、金属製の剛性強化部が嵌合されていたが本発明はこれに限定されない。
【００５８】
例えば、断面凹状の突部の位置は特に限定されず、第１嵌着部の軸線方向の端部の外周面に設けられていてもよい。また、突部がなく、Ｕ字状の剛性強化部が直接第１嵌着部に嵌合されていてもよい。さらには、剛性強化部がなく、第１嵌着部の軸線方向の外周面に、外周面に沿って突出する断面凹状の突部が形成されていてもよい。
【００５９】
このように第１嵌着部を構成しても、実施形態１の第１嵌着部よりも第１開口部の開口する方向に対する剛性は低くなるかもしれないが、実施形態１に係るシート止め具と同様の効果が得られる。
（実施形態４）
【００６０】
実施形態１の２つの摘み片の対向する表面（内側表面）に、第２開口部の反対側方向に伸びる線状の凸部が３つ（両端部近傍に２つ、中央部に１つ）形成されていたが、本発明はこれに限定されない。線状の凸部の長さ、数、幅および高さは特に限定されない。なお、凸部が伸びる方向は、第１嵌着部または第２嵌着部の軸線方向と交差する方向であれば特に限定されない。
【００６１】
また、線状の凸部が設けられる場所も限定されない。例えば、２つの摘み片の対向する表面とは逆の表面（外側表面）に線状の凸部が形成されてもよい。このように線状の凸部を設けても、実施形態１のシート止め具と同様の効果が得られる。
（その他の実施形態）
【００６２】
上述した実施形態では、第１内周面や第２内周面に複数の付勢部が設けられていたが、本発明はこれに限定されない。たとえば、第１内周面や第２内周面に１つしか付勢部が設けられていなくてもよいし、付勢部が設けられていなくてもよい。このようにシート止め具を構成しても、実施形態１に係るものよりも支柱部材に対する嵌着力は低くなるかもしれないが、実施形態１に係るシート止め具と同様の効果が得られる。
【符号の説明】
【００６３】
１      シート止め具
１０    第１嵌着部
１１    第１挟持部
１２    第１開口部
１３    第１内周面
１３１、１３２  第１付勢部
１４    第１係止部
１５    突部
１６    剛性強化部
２０    第２嵌着部
２１    第２挟持部
２２    第２開口部
２３    第２内周面
２３１、２３２  第２付勢部
２４    第２係止部
２５    摘み片
２６    摘み片の内側表面
２７    線状の凸部
２８    摘み片の外側表面
２９    摩擦部
３０    連結部
１００  ビニールシート
１０５  たくし上げシート部
１１０  骨組み
【図１】
0003224029.tif 000003
【図２】
0003224029.tif 000004
【図３】
0003224029.tif 000005
【図４】
0003224029.tif 000006
【図５】
0003224029.tif 000007
【図６】
0003224029.tif 000008
【図７】
0003224029.tif 000009
【図８】
0003224029.tif 000010
【手続補正書】
【提出日】令和1年9月17日(2019.9.17)
【手続補正１】
【補正対象書類名】実用新案登録請求の範囲
【補正対象項目名】全文
【補正方法】変更
【補正の内容】
【実用新案登録請求の範囲】
【請求項１】
シート状部材を挟んで支柱部材に嵌着させることによって、前記シート状部材を支柱部材に固定する筒状の第１嵌着部と、
前記シート状部材を挟んで前記支柱部材に嵌着し、または前記支柱部材に直接嵌着することができる筒状の第２嵌着部と、
前記第１嵌着部と前記第２嵌着部とに接続され、前記支柱部材に対して凹部を有する連結部とを具備するシート止め具であって、
前記第１嵌着部は、前記シート状部材を挟んで挟持する第１挟持部を有し、
前記第１挟持部は、軸線方向に開口した第１開口部と、前記シート状部材を挟んで前記支柱部材の表面と嵌合する第１内周面とを有し、
前記第２嵌着部は、前記シート状部材を挟んで挟持する第２挟持部を有し、
前記第２挟持部は、軸線方向に開口した第２開口部と、直接または前記シート状部材を挟んで前記支柱部材の表面と嵌合する第２内周面と、第２開口部の左右両側部に前記第２開口部の反対側方向に突出する２つの摘み片とを有することを特徴とするシート止め具。
【請求項２】
前記第１内周面の径が前記第２内周面の径よりも小さいことを特徴とする
請求項１に記載のシート止め具。
【請求項３】
前記第１内周面および前記第２内周面の何れか一方に、少なくとも１つの付勢部が形成されている
ことを特徴とする請求項１または２に記載のシート止め具。
【請求項４】
前記付勢部が、前記第１内周面の第１開口部の反対側に位置する第１底部および前記第２内周面の第２開口部の反対側の第２底部の少なくとも何れか一方に形成されている
ことを特徴とする請求項３に記載のシート止め具。
【請求項５】
前記付勢部が、前記第１内周面および前記第２内周面の少なくとも何れか一方に、対向するように２つ形成されていることを特徴する請求項３または４に記載のシート止め具。
【請求項６】
前記摘み片の表面に、前記軸線方向と交差する方向に向かって線状の凸部が形成されていることを特徴とする請求項１〜５の何れか１項に記載のシート止め具。
【請求項７】
前記第１開口部の両端部に第１係止部が形成され、前記第１係止部の軸方向端部の開口方向の幅が少なくとも何れか一方で小さくなることを特徴とする請求項１〜６の何れか１項に記載のシート止め具。
【請求項８】
前記第１開口部の両端部に第１係止部が形成され、前記第１係止部の軸方向端部の開口方向の幅が少なくとも何れか一方で小さくなり、
前記第２開口部の両端部に第２係止部が形成され、前記第２係止部の軸方向端部の開口方向の幅が少なくとも何れか一方で小さくなることを特徴とする請求項１〜６の何れか１項に記載のシート止め具。
【請求項９】
前記第２係止部の開口方向の幅が、前記第１係止部の開口方向の幅よりも広いことを特徴とする請求項８に記載のシート止め具。
【請求項１０】
前記第１嵌着部の外表面に嵌合し、Ｕ字状またはＣ字状の内周面が前記第１嵌着部の外表面の径よりも小さい径を有する剛性強化部を具備することを特徴とする請求項１〜９の何れか１項に記載のシート止め具。